(57)【要約】【課題】  蛍光管型照明器への電力給電方式が多岐にわたり、その全てに切り替えなく対応する。また、専用コモンモードチョークコイルを用いて多岐の給電方式において一様にノイズ除去が出来るようにする。【解決手段】  蛍光管型照明器は、保護素子Ｒ１〜Ｒ４，コンデンサＣ１〜Ｃ３，４つ以上の巻線を設けたコモンモードチョークコイルＣＴＣ１，整流回路を備える。ＡＣ１−４は全てコモンモードチョークコイルＣＴＣ１へ接続され、出力ＯＵＴ１，ＯＵＴ２の間に整流回路ＢＤ１，ＢＤ２が接続される。【選択図】図１
2012004518.tif 000002
【特許請求の範囲】
【請求項１】
冷陰極蛍光ランプを用いた蛍光管型照明器への電力給電方式が多数存在することにおいて、切り替えなく対応できることを特徴とした２つ以上の給電経路と整流回路との間にコモンモードチョークコイルを備えた蛍光管型照明器給電部。
【請求項２】
冷陰極蛍光ランプを用いた蛍光管型照明器における、４つ以上の交流電源入力部それぞれに接続されるコモンモードチョークコイルであって、１フェライトに４つ以上のコイルを巻いた事を特徴とするコモンモードチョークコイル。
【発明の詳細な説明】
【技術分野】
【０００１】  この発明はインバーター回路による蛍光管型照明器への交流電源供給におけるノイズ除去技術に関し、詳しくは交流電源のノイズ除去におけるコモンモードチョークコイルに関するものである。【０００２】  冷陰極蛍光ランプを用いた蛍光管型照明器への電力給電方式に関するものである。
【背景技術】
【０００３】  コモンモードで伝送されるコモンモードノイズは、商用電源ホット側およびコールド側ラインを同相で流れるノイズ電流である。このノイズは製品から放射される電磁ノイズに大きく影響する。機器が動作することによって他の機器の動作を阻害または、人体に影響を与える一定レベル以上の干渉源となる電磁妨害を生じないように対策する必要があるため、コモンモードノイズ対策は重要となる。【０００４】  冷陰極蛍光ランプを用いた蛍光管型照明器は、従来の蛍光灯ランプの灯具に接続されるものであるが、蛍光灯へ電源を供給している４つの端子からなる電力給電方式は一通りではないため、灯具の電力給電方式にあった照明器の対応が必要になるという問題がある。
【先行技術文献】
【特許文献】
【０００５】
【特許文献１】  特開２０１０−０４１４７４号公報  シングルエンド接続用のＤ級アンプを用いて２チャンネルのステレオ信号を扱う場合  また、ＢＴＬ接続の場合には、２チャンネル分の２つのＤ級アンプに１つのスピーカをブリッジ接続する場合のいずれの場合にも、Ｄ級アンプのローパスフィルタの後段にコモンモードチョークコイルを設けることで、ローパスフィルタで除去できなかったコモンモードで伝達される高周波ノイズなど、コモンモードで伝達されるコモンモードノイズ成分を除去することができる。なおコモンモードで伝達されるノイズ成分は、ホット側出力ラインおよびグランド側出力ラインを同相で流れるノイズ電流である。
【発明の概要】
【発明が解決しようとする課題】
【０００６】  従来の蛍光灯の灯具を使用するため、商用電源の給電方式は多岐にわたるが、何れの給電方式においても切り替えなく対応することを目的とするものである。【０００７】  この発明は、多岐にわたる電力供給方式において何れの電力供給方式においてもコモンモードチョークコイルを通り、コモンモードノイズ除去が可能な電力供給回路を提供することにある。
【課題を解決するための手段】
【０００８】  冷陰極蛍光ランプを用いた蛍光管型照明器における、多給電方式へ対応したコモンモードチョークコイルにより、商用電源のホット側とコールド側に同相で流れるノイズを除去できる構成としたものである。【０００９】  ２つ以上の給電経路と整流回路を備えたことにより多岐にわたる接続方式へ対応可能としたものである。
【発明の効果】
【００１０】  現蛍光灯の灯具を利用した給電方式は多岐にわたるが、何の対応無く接続することができるという利点がある。【００１１】  何れの電力供給方式においてもコモンモードチョークコイルにより灯具から供給される商用電源に含まれるコモンモードノイズを除去することが出来る。
【発明を実施するための形態】
【実施例１】
【００１２】  図１ＡＣ２，ＡＣ４から商用電源が入力された場合、ＣＴＣ１の１，２から供給された商用電源はコモンモードチョークコイルをとおり、ＢＤ２の整流回路に供給される。整流回路により商用電源は直流電圧へ変換され、ＯＵＴ１がＣＯＭ側出力，ＯＵＴ２が＋側出力として出力される。【００１３】  図１ＡＣ１，ＡＣ３から商用電源が入力された場合、ＣＴＣ１の３，４から供給された商用電源はコモンモードチョークコイルをとおり、ＢＤ１の整流回路に供給される。整流回路により商用電源は直流電圧へ変換され、ＯＵＴ１がＣＯＭ側出力，ＯＵＴ２が＋側出力として出力される。【００１４】  図１ＡＣ１，ＡＣ４から商用電源が入力された場合、ＣＴＣ１の２，３から供給された商用電源はコモンモードチョークコイルをとおり、ＢＤ１，ＢＤ２の整流回路各々に供給される。整流回路により商用電源は直流電圧へ変換され、ＯＵＴ１がＣＯＭ側出力，ＯＵＴ２が＋側出力として出力される。【００１５】  図１ＡＣ２，ＡＣ３から商用電源が入力された場合、ＣＴＣ１の１，４から供給された商用電源はコモンモードチョークコイルをとおり、ＢＤ１，ＢＤ２の整流回路各々に供給される。整流回路により商用電源は直流電圧へ変換され、ＯＵＴ１がＣＯＭ側出力，ＯＵＴ２が＋側出力として出力される。【００１６】  図１ＡＣ１，ＡＣ２から商用電源が入力された場合、ＣＴＣ１の１，３から供給された商用電源はコモンモードチョークコイルをとおり、ＢＤ１，ＢＤ２の整流回路各々に供給される。整流回路により商用電源は直流電圧へ変換され、ＯＵＴ１がＣＯＭ側出力，ＯＵＴ２が＋側出力として出力される。【００１７】  図１ＡＣ３，ＡＣ４から商用電源が入力された場合、ＣＴＣ１の２，４から供給された商用電源はコモンモードチョークコイルをとおり、ＢＤ１，ＢＤ２の整流回路各々に供給される。整流回路により商用電源は直流電圧へ変換され、ＯＵＴ１がＣＯＭ側出力，ＯＵＴ２が＋側出力として出力される。【００１８】  図１ＡＣ１，ＡＣ２をショートさせて商用電源のＬ側へ接続，ＡＣ３，ＡＣ４をショートさせて商用電源のＮ側へ接続し、商用電源が入力された場合、ＣＴＣ１の１〜４から供給された商用電源はコモンモードチョークコイルをとおり、ＢＤ１，ＢＤ２の整流回路各々に供給される。整流回路により商用電源は直流電圧へ変換され、ＯＵＴ１がＣＯＭ側出力，ＯＵＴ２が＋側出力として出力される。【００１９】  図１ＡＣ２，ＡＣ４をショートさせて商用電源のＬ側へ接続，ＡＣ１，ＡＣ３をショートさせて商用電源のＮ側へ接続し、商用電源が入力された場合、ＣＴＣ１の１〜４から供給された商用電源はコモンモードチョークコイルをとおり、ＢＤ１，ＢＤ２の整流回路各々に供給される。整流回路により商用電源は直流電圧へ変換され、ＯＵＴ１がＣＯＭ側出力，ＯＵＴ２が＋側出力として出力される。
【図面の簡単な説明】
【００２０】
【図１】図１は蛍光管型照明器の電力給電部を示した図である。
【符号の説明】
【００２１】  ＡＣ１〜ＡＣ４  商用電源入力部，Ｆ１〜Ｆ３  フューズ，Ｃ１〜Ｃ４  コンデンサ，Ｒ１〜Ｒ４  バリスタ，ＣＴＣ１  コモンモードチョークコイル，ＢＤ１〜ＢＤ２  整流回路，ＯＵＴ１  直流ＣＯＭ側出力，ＯＵＴ２  直流＋側出力
【図１】
2012004518.tif 000003